(57)【特許請求の範囲】
【請求項１】
横框と縦框を組付けてなる框組ドアにおいて、
前記框材の組付け部となる、前記横框の左右端面に、横框の、ドア面に垂直な方向となる前後方向の厚さよりも厚さの小さい断面矩形状の大凸部を、横框を前後方向に２等分する中心面に対象にそれぞれ突設すると共に、前記横框に組付く前記縦框の組付け部の内側部分に、前記大凸部と嵌合する大凹部を形成し、
前記大凸部の根元部の前後側に小凸部をそれぞれ突設すると共に、前記大凹部の前後を形成する壁部の先端部に、前記小凸部に嵌合する小凹部を形成して、前記横框と縦框を組付けたことを特徴とする框組ドアの組付構造。
【請求項２】
前記小凸部を断面三角形状の三角凸部とすると共に、前記小凹部を前記三角凸部に嵌合する三角凹部とし、
前記三角凸部の前後外側を形成する面を、頂点から左右方向に延びる水平面又は傾斜面とすると共に、前記頂点から前記中心面側に延びる他方の面を傾斜面としたことを特徴とする請求項１に記載の框組ドアの組付構造。
【請求項３】
前記小凸部を断面三角形状の三角凸部とすると共に、前記小凹部を前記三角凸部に嵌合する三角凹部とし、
前記三角凸部の前後外側を形成する面を、頂点から左右方向に延びる水平面とすると共に、前記頂点から前記中心面側に延びる他方の面を傾斜面とし、
前記水平面の基端を前記横框の左右端面上の位置とし、前記傾斜面の基端を前記大凸部の前後表面で前記水平面の基端より前記左右方向に突出した位置とし、
前記三角凸部の水平面と傾斜面とで形成される先端角度を２５°〜４５°に設定したことを特徴とする請求項１に記載の框組ドアの組付構造。
【請求項４】
前記三角凸部の水平面と傾斜面とで形成される先端角度を略３０°に設定したことを特徴とする請求項３に記載の框組ドアの組付構造。
【発明の詳細な説明】
【技術分野】
【０００１】
本発明は、横框と縦框を組付けてなる框組ドアの組付構造に関するものである。
【背景技術】
【０００２】
建物のドアにおいては、上下２本の横框と、左右２本の縦框を組合わせて形成した枠体の中に鏡板を組付けた、いわゆる框組ドアが多く使用されている。
【０００３】
図７に示すように、こうした框組ドア４０における横框４１と縦框４２の組付けは、通常、横框４１に凸部４１ａを形成すると共に縦框４２に凹部４２ａを形成し、その凸部４１ａを凹部４２ａに嵌合することによって行っている（例えば、特許文献１、２参照）。
【特許文献１】実開平５−７３３０２号公報
【特許文献２】実公平６−２８６２９号公報
【発明の開示】
【発明が解決しようとする課題】
【０００４】
しかしながら、横框４１と縦框４２を、それらに形成した凸部４１ａと凹部４２ａを嵌合して組付ける従来の框組ドア４０では、両者の組付き力が必ずしも充分ではなく、ドアの耐久性に問題が残る。
また、凸部４１ａを高くし、凹部４２ａを深くすることも考えられるが、その場合、凹部４２ａが外側に反り、ひどいときには剥離し、組付き力が低下するという問題が生じる。
【０００５】
そこで、本発明の目的とするところは、横框と縦框を組付けてなる框組ドアにおいて、横框と縦框を充分に強固な組付き力で組付けることのできる組付構造を提供することにある。
【課題を解決するための手段】
【０００６】
上記の目的を達成するために、本発明の請求項１に記載の框組ドアの組付構造は、横框と縦框を組付けてなる框組ドアにおいて、
前記框材の組付け部となる、前記横框の左右端面に、横框の、ドア面に垂直な方向となる前後方向の厚さよりも厚さの小さい断面矩形状の大凸部を、横框を前後方向に２等分する中心面に対象にそれぞれ突設すると共に、前記横框に組付く前記縦框の組付け部の内側部分に、前記大凸部と嵌合する大凹部を形成し、
前記大凸部の根元部の前後側に小凸部をそれぞれ突設すると共に、前記大凹部の前後を形成する壁部の先端部に、前記小凸部に嵌合する小凹部を形成して、前記横框と縦框を組付けたことを特徴とする。
【０００７】
なお、ここで言う「框組ドア」には、通常の押し開きドアの他に、引き戸や折り戸など、各種のドアを含む。また、「嵌合する」とは、凸部分と凹部分がほぼ密に嵌り合うことができるような、ほぼ同じ大きさおよび形状を有することを意味する。
【０００８】
また、請求項２に記載の発明は、前記小凸部を断面三角形状の三角凸部とすると共に、前記小凹部を前記三角凸部に嵌合する三角凹部とし、
前記三角凸部の前後外側を形成する面を、頂点から左右方向に延びる水平面又は傾斜面とすると共に、前記頂点から前記中心面側に延びる他方の面を傾斜面としたことを特徴とする。
【０００９】
さらに、請求項３に記載の発明は、前記小凸部を断面三角形状の三角凸部とすると共に、前記小凹部を前記三角凸部に嵌合する三角凹部とし、
前記三角凸部の前後外側を形成する面を、頂点から左右方向に延びる水平面とすると共に、前記頂点から前記中心面側に延びる他方の面を傾斜面とし、
前記水平面の基端を前記横框の左右端面上の位置とし、前記傾斜面の基端を前記大凸部の前後表面で前記水平面の基端より前記左右方向に突出した位置とし、
前記三角凸部の水平面と傾斜面とで形成される先端角度を２５°〜４５°に設定したことを特徴とする。
【００１０】
またさらに、請求項４に記載の発明は、前記三角凸部の水平面と傾斜面とで形成される先端角度を略３０°に設定したことを特徴とする。
【発明の効果】
【００１１】
本発明の請求項１に記載の框組ドアの組付構造によれば、横框と縦框を、大凸部と大凹部、および、大凸部の根元部の前後側に設けた小凸部と小凹部を嵌合させることによって組付けるので、充分な組付き力を与えることができる。
これにより、当該框組ドアの耐久性を向上させることができる。
【００１２】
また、請求項２に記載の発明によれば、小凸部を断面三角形状の三角凸部とし、小凹部を三角凸部に嵌合する三角凹部としたので、嵌合を円滑に行うことができるのに加え、横框と縦框の組付き力をさらに高めることができる。
また、三角凸部は壁部によって周りが囲まれるので三角凸部が欠けたり等破損することが防止される。
【００１３】
さらに、請求項３に記載の発明によれば、三角凸部の前後外側を形成する面を左右方向に延びる水平面とすると共に、他方の面を傾斜面とし、傾斜面の基端を水平面の基端より左右方向に突出した位置に設定したので、横框と縦框の組付き力をさらに高めることができる。
また、三角凸部の根元部を強固にすることができるので、三角凸部が欠けたり等破損することが一層防止される。
【００１４】
すなわち、傾斜面の基端を水平面の基端より左右方向に突出した位置に設定したことによって、両基端の位置を左右方向にずらして両者間の距離を長くすることができる。これにより、当該三角凸部の剛性を高めて三角凹部との組付き力を高めることができる。その結果、横框と縦框の組付き力をさらに高めることができる。
【００１５】
また、水平面の基端を横框の中心側に設定したことによって、当該水平面と三角凹部との接触面積を長く設定することができ、これによっても横框と縦框の組付き力をより高めることができる。
【００１６】
またさらに、三角凸部の水平面と傾斜面とで形成される先端角度を２５°〜４５°に設定したので、当該先端角部の剛性を充分に高く設定することができる。
これにより、三角凹部との充分な組付き力を確保して、横框と縦框との組付きを強固なものとすることができる。
ちなみに、先端角度が２５°未満であると、剛性が不足して破損し易くなり、横框と縦框の組付き力を低下させてしまう。また、４５°を超えると、三角凸部と三角凹部の前後方向の係合力が低下して外れ易い状態となり、同様に、横框と縦框の組付き力を弱めてしまう。
【００１７】
特に、請求項４に記載の発明のように、三角凸部の水平面と傾斜面とで形成される先端角度を略３０°に設定すると、当該先端角部に充分な剛性を与えると共に、三角凹部との前後方向の係合力も高く維持することができ、これにより、横框と縦框の組付き力を高めることができる。
【発明を実施するための最良の形態】
【００１８】
図１乃至図６を参照して、本発明の実施形態に係る框組ドアの組付構造について説明する。図１は、本発明の実施形態に係る組付構造によって組付けられた框組ドア１を示す正面図である。図２は、本発明の実施形態に係る組付構造を示すもので、図１のＡ−Ａ線拡大断面図である。図３は、図２のＤ部拡大図である。また、図４は、図２の分解斜視図である。さらに、図５は、図１のＢ−Ｂ線拡大断面図であり、図６は、図１のＣ−Ｃ線拡大断面図である。
【００１９】
本発明の実施形態に係る框組ドアの組付構造は、上下２本の横框１０と左右２本の縦框２０を組付けて形成する枠体内に、鏡板３０を組付けた框組ドア１におけるものである。鏡板３０は、図５，図６で示されるように、横框１０と縦框２０の内面側に形成した差込溝部１１，２１に、その四辺端部を差込んで組付けている。
【００２０】
また、框材の組付き部となる、横框１０の左右端面のそれぞれに、断面矩形状の大凸部を突設すると共に、横框１０に組付く、縦框２０の上下端部のそれぞれの内側部分に、大凸部と嵌合する、当該大凹部２２とほぼ同じ大きさおよび形状の大凹部２２を形成している。
大凸部１２は、横框１０の、ドア面に垂直な方向となる前後方向（図１では紙面の表裏方向，図２では上下方向）の厚さよりも厚さの小さいものであり、図２に示すように、横框１０を前後方向に２等分する中心面Ｑに対象に設けている。
また、大凸部１２の先端部の中心に断面矩形状の凹溝１３を形成すると共に、大凹部２２に、凹溝１３と嵌合するほぼ同じ大きさおよび形状の突部２３を立設している。
【００２１】
さらに、大凸部の根元部の前後側に小凸部として、断面三角形状の三角凸部１４をそれぞれ突設すると共に、大凹部２２の前後を形成する二つの壁部２５のそれぞれの先端部に、三角凸部１４に嵌合する小凹部として、三角凹部２４を形成している。この三角凹部２４も、三角凸部１４とほぼ同じ大きさおよび形状である。
【００２２】
本実施形態に係る框組ドアの組付構造は、横框１０と縦框２０を、大凸部１２と大凹部２２、凹溝１３と凸部、および三角凸部１４と三角凹部２４のそれぞれを嵌合させて組付けているので、両者に充分な組付き力を与えることができる。
従って、框組ドア１の耐久性を大きく高めることができる。
【００２３】
なお、本実施形態では、三角凸部１４の前後外側を形成する面を、三角凸部１４の頂点（頂部）Ｐから左右方向に延びる、すなわち大凸部１２と平行な水平面１４Ａとすると共に、頂点（頂部）Ｐから中心面Ｑ側に延びる他方の面を傾斜面１４Ｂとしている。
そして、水平面１４Ａの基端１４ａを横框１０の左右端面上の位置とし、傾斜面１４Ｂの基端１４ｂを大凸部１２の前後表面で水平面１４Ａの基端１４ａより左右方向に突出した位置としている。
【００２４】
こうすることによって、両基端１４ａ，１４ｂの位置を左右方向にずらして両者間の距離Ｔを長くすることができるので、三角凸部１４の剛性を高めて三角凹部２４との組付き力を高め、横框１０と縦框２０の組付き力をさらに向上させることができる。また、三角凸部１４が欠けたり等破損することを防止することができる。
また、水平面１４Ａと三角凹部２４との接触面積を長く設定することができ、これによっても横框１０と縦框２０の組付き力をさらに高めることができる。
【００２５】
さらに、本実施形態では、三角凸部１４を、横框１０の前後表面から間隔Ｓをおいてそれぞれ突設し、横框１０と縦框２０との組付け時には、その間隔Ｓに、壁部２５の先端部が当接するようにしている。
こうすることによって、横框１０と縦框２０の組付き力をさらに高めることができる。
また、三角凸部１４は壁部２５によって周りが囲まれるので三角凸部１４が欠けたり等破損することが防止される。
【００２６】
さらにまた、本実施形態では、三角凸部１４の水平面１４Ａと傾斜面１４Ｂとで形成される先端角度αを略３０°に設定している。これにより、先端角部に充分な剛性を与えると共に、三角凹部２４との前後方向の係合力も高く設定することができ、横框１０と縦框２０の組付き力を高めることができる。
【００２７】
なお、先端角度αは略３０°に限定されるものではなく、２５°〜４５°の範囲であれば、充分な剛性および三角凹部２４との前後方向の係合力を与えることができる。
【００２８】
また、本実施形態では、大凸部１２の先端部の中心に断面矩形状の凹溝１３を形成すると共に、大凹部２２に、凹溝１３と嵌合するほぼ同じ大きさおよび形状の突部２３を立設したものとしたが、図８に示すように、凹溝１３やそれに嵌合する突部２３を設けないようにすることもできる。
【００２９】
また、本実施形態では、小凸部及び小凹部として、三角凸部１４とそれに嵌合する三角凹部２４とし、しかもそれらの形状を特定したが、様々の形状にすることができる。
例えば、図９に示すように、小凸部及び小凹部として、三角凸部５１とそれに嵌合する三角凹部５２とし、しかも三角凸部５１の前後外側を形成する面を、三角凸部５１の頂点（頂部）から外側に向けて傾斜する傾斜面とし、頂点（頂部）から延びる他方の面を、左右方向に延びる水平面にしたり、あるいは、図１０に示すように、小凸部及び小凹部として、三角凸部５３とそれに嵌合する三角凹部５４とし、しかも三角凸部５３の前後外側を形成する面を、三角凸部５３の頂点（頂部）から外側に向けて傾斜する傾斜面とし、頂点（頂部）から延びる他方の面についても中心面Ｑ側に延びる傾斜面とすることもできる。
さらには、図１１に示すように、小凸部及び小凹部として、三角形状ではなく矩形状の矩形凸部５５とそれに嵌合する矩形凹部５６とすることもできる。
【００３０】
また、本発明の実施形態に係る框組ドアの組付構造は、上下２本の横框１０と左右２本の縦框２０を組付けて形成する枠体内に、鏡板３０を組付けた框組ドア１におけるものについて適用した例を示したが、例えば、高さの中間辺りに中横框が設けられる仕様や、幅の中間位置に縦框が設けられる仕様のものにも適用することができる。
【００３１】
なお、含水率変化に伴なう寸法変化率の異なる複数の面材がドアの厚さ方向に積層接着されている複合材料を、前記縦框２０に用いる場合、特に有効である。
【図面の簡単な説明】
【００３２】
【図１】本発明の実施形態に係る組付構造によって組付けられた框組ドアを示す正面図である。
【図２】本発明の実施形態に係る組付構造を示すもので、図１のＡ−Ａ線拡大断面図である。
【図３】図２のＤ部拡大図である。
【図４】図２に示す組付構造の分解斜視図である。
【図５】本発明の実施形態に係る組付構造を示すもので、図１のＢ−Ｂ線拡大断面図である。
【図６】本発明の実施形態に係る組付構造を示すもので、図１のＣ−Ｃ線拡大断面図である。
【図７】従来例に係る框組ドアの組付構造を示すもので、図１のＡ−Ａ線に相当する断面図である。
【図８】本発明の実施形態の変形例を示す組付構造の分解斜視図である。
【図９】本発明の実施形態の変形例を示す組付構造を示す断面図である。
【図１０】本発明の実施形態の変形例を示す組付構造を示す断面図である。
【図１１】本発明の実施形態の変形例を示す組付構造を示す断面図である。
【符号の説明】
【００３３】
１      框組ドア
１０      横框
１１      差込溝部
１２      大凸部
１３      凹溝
１４      三角凸部
１４Ａ    水平面
１４ａ    水平面の基端
１４Ｂ    傾斜面
１４ｂ    傾斜面の基端
２０      縦框
２１      差込溝部
２２      大凹部
２３      突部
２４      三角凹部
２５      壁部
３０      鏡板
４０      框組ドア
４１      横框
４１ａ    突部
４２      縦框
４２ａ    凹部
５１      三角凸部
５２      三角凹部
５３      三角凸部
５４      三角凹部
５５      矩形凸部
５６      矩形凹部
α      先端角度
Ｐ      頂点
Ｓ      間隔
Ｔ      基端１４ａ，１４ｂ間の水平方向の距離
【図１】
0004825531.tif 000002
【図２】
0004825531.tif 000003
【図３】
0004825531.tif 000004
【図４】
0004825531.tif 000005
【図５】
0004825531.tif 000006
【図６】
0004825531.tif 000007
【図７】
0004825531.tif 000008
【図８】
0004825531.tif 000009
【図９】
0004825531.tif 000010
【図１０】
0004825531.tif 000011
【図１１】
0004825531.tif 000012